(57)【要約】【課題】構造が簡単で、集塵部の二次フィルタに付着した塵埃を確実に除去することができ、また集塵部に溜った塵埃を捨てる操作が簡単で、手や衣類を汚すことのない電気掃除機を提供すること。【解決手段】集塵部３０が着脱可能に収容される集塵部収容室２２、電動送風機２４が設置された電動送風機室２３を有し、ホース接続口１１が設けられた本体部２と、本体部２の上面開口部を開閉する上蓋５とを有する掃除機本体１を備え、集塵部３０の集塵室３６の下流側に設けた二次フィルタ室４０に二次フィルタ５０を配設すると共に、二次フィルタ５０の下流側に二次フィルタ５０を駆動する二次フィルタ駆動手段６０を設け、上蓋５を閉じた状態で二次フィルタ駆動手段６０の駆動力が二次フィルタ５０に伝達されるように構成した。【選択図】図７
2009095458.tif 000002
【特許請求の範囲】
【請求項１】
集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、
前記集塵部の集塵室の下流側に設けた二次フィルタ室に二次フィルタを配設すると共に、該二次フィルタの下流側に該二次フィルタを駆動する二次フィルタ駆動手段を設け、前記上蓋を閉じた状態で前記二次フィルタ駆動手段の駆動力が前記二次フィルタに伝達されるように構成したことを特徴とする電気掃除機。
【請求項２】
前記本体部に設けられて前記二次フィルタ駆動手段を駆動する駆動手段と、前記上蓋に設けられて前記二次フィルタ駆動手段と駆動手段を連結する連結手段とを備えたことを特徴とする請求項１記載の電気掃除機。
【請求項３】
前記二次フィルタ駆動手段を、前記二次フィルタと同軸上に回転自在に支持され、該二次フィルタ駆動手段の駆動力を前記二次フィルタに伝達する歯車で構成し、前記駆動手段を出力歯車を有する電動機で構成すると共に、前記連結手段を連結歯車で構成したことを特徴とする請求項２記載の電気掃除機。
【請求項４】
集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、
前記集塵部の集塵室の下流側に設けた二次フィルタ室に二次フィルタを配設すると共に、該二次フィルタの下流側に該二次フィルタを駆動する二次フィルタ駆動手段を設け、前記集塵部を集塵部収容室に収容した状態で前記二次フィルタ駆動手段の駆動力が前記二次フィルタに伝達されるように構成したことを特徴とする電気掃除機。
【請求項５】
前記本体部に設けられて前記二次フィルタ駆動手段を駆動する駆動手段と、前記集塵部に設けられて前記二次フィルタ駆動手段に連結され、前記集塵部を集塵部収容室に収容したときに前記駆動手段と連結される連結手段とを備えたことを特徴とする請求項４記載の電気掃除機。
【請求項６】
前記二次フィルタ駆動手段を、前記二次フィルタと同軸上に回転自在に支持され、該二次フィルタ駆動手段の駆動力を前記二次フィルタに伝達する歯車で構成すると共に、前記連結手段を前記集塵部に回転自在に支持され、前記歯車と常時噛合う連結歯車で構成し、前記駆動手段を出力歯車を有する電動機で構成したことを特徴とする請求項５記載の電気掃除機。
【請求項７】
前記集塵部の上部の一方の側にケースを設け、該ケース内に前記連結歯車を回転自在に収容したことを特徴とする請求項６記載の電気掃除機。
【請求項８】
前記集塵部を集塵部収容室に収容したときに、前記連結手段を構成する連結歯車のケースを、前記駆動手段を構成する電動機に固定する固定手段を設けたことを特徴とする請求項６又は７記載の電気掃除機。
【請求項９】
前記固定手段を、前記電動機のケースに設けた係止部と、前記連結歯車のケースに設けられて前記係止部に係止する係合部とによって構成したことを特徴とする請求項８記載の電気掃除機。
【請求項１０】
前記集塵部に、前記二次フィルタ駆動手段の少なくとも上部外周を覆うフランジを設けたことを特徴とする請求項１〜９のいずれかに記載の電気掃除機。
【請求項１１】
前記二次フィルタ駆動手段の駆動力を、クラッチを介して前記二次フィルタに伝達し、該二次フィルタを回動させることを特徴とする請求項１〜１０のいずれかに記載の電気掃除機。
【請求項１２】
前記二次フィルタ駆動手段の駆動力を、徐塵子を介して前記二次フィルタに伝達し、該二次フィルタに振動又は衝撃を与えることを特徴とする請求項１〜１１のいずれかに記載の電気掃除機。
【請求項１３】
前記二次フィルタ駆動手段、駆動手段及び連結手段のそれぞれの回転軸を、前記上蓋の開放方向と直交するように設けたことを特徴とする請求項２，３，５〜１２のいずれかに記載の電気掃除機。
【請求項１４】
前記二次フィルタ駆動手段及び駆動手段と連結手段とを、前記上蓋を閉じたときに、前記二次フィルタ駆動手段の中心を通る水平面と垂直面で形成された領域内で連結するように構成したことを特徴とする請求項２，３，５〜１３のいずれかに記載の電気掃除機。
【請求項１５】
前記掃除機本体に設けた電動送風機室に、前記電動送風機を覆うカバーを設けたことを特徴とする請求項１〜１４のいずれかに記載の電気掃除機。
【請求項１６】
前記掃除機本体の本体部をほぼ円筒状に形成し、該本体部のホース接続口と対向する位置の上部近傍に、前記上蓋を開閉可能に支持するヒンジ部を設けたことを特徴とする請求項１〜１５のいずれかに記載の電気掃除機。
【請求項１７】
前記集塵部収容室と電動送風機室との境界を、前記本体部の前後方向の中央部近傍又は該中央部より前面側に設けたことを特徴とする請求項１〜１６のいずれかに記載の電気掃除機。
【請求項１８】
前記集塵部を、吸込み口に連通する集塵室と、該集塵室の下流側の側方に設けられた二次フィルタ室とによって構成し、前記二次フィルタ駆動手段の駆動手段を前記集塵室の反対側において本体部に設けたことを特徴とする請求項２，３，５〜１７のいずれかに記載の電気掃除機。
【請求項１９】
前記集塵部の二次フィルタ室と前記電動送風機の幅方向の中心を、前記ホース接続口の中心を通る垂直面の近傍に設けたことを特徴とする請求項１〜１８のいずれかに記載の電気掃除機。
【請求項２０】
前記集塵部の一方の側面に集塵部収容室の内壁面に沿った形状の扉を形成してその内側に集塵室を設け、該扉をその側面以外の部分で前記二次フィルタ室に開閉可能に支持したことを特徴とする請求項１〜１９のいずれかに記載の電気掃除機。
【請求項２１】
前記掃除機本体の本体部に前記電動機の駆動回路を開閉する開閉手段を設け、前記上蓋を閉じたときに前記駆動回路を閉成するように構成したことを特徴とする請求項２，３，５〜２０のいずれかに記載の電気掃除機。
【請求項２２】
集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、
前記電動送風機室に、前記電動送風機を覆うカバーを設けたことを特徴とする電気掃除機。
【請求項２３】
集塵部が着脱可能に収容される集塵部収容室、電動送風機が設置された電動送風機室を有し、ホース接続口が設けられたほぼ円筒状の本体部と、該本体部の上面開口部を開閉する上蓋とを有する掃除機本体とを備え、
前記本体部のホース接続口と対向する位置の上部近傍に、前記上蓋を開閉可能に支持するヒンジ部を設けたことを特徴とする電気掃除機。
【請求項２４】
集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、
前記集塵部収容室と電動送風機室との境界を、前記本体部の前後方向の中央部近傍又は該中央部より前面側に設けたことを特徴とする電気掃除機。
【発明の詳細な説明】
【技術分野】
【０００１】
本発明は、電気掃除機に係り、より詳しくは、着脱可能な集塵部を備えた電気掃除機に関するものである。
【背景技術】
【０００２】
従来の電気掃除機に、本体に対して着脱可能な集塵箱の上端開口部を閉じるフィルターケースを集塵箱に着脱自在に設け、このフィルターケースの上端下面部に集塵箱内に挿入されたビニール袋等の不通気性袋の開口部を取付ける支持手段を設け、またこのフィルターケースには下側にビニール袋等内に塵埃を捕集するフィルター装置を配設し、フィルターケースを回転させるハンドルをフィルターケースの上側に設け、フィルター装置のプレフィルターの下端部に摺動自在なリングを設けると共に、このリングの下面にパッキンを設け、このパッキンと集塵箱の底板上面との間でビニール袋等を挟持するようにしたものがある（例えば、特許文献１参照）。
【０００３】
また、塵埃を吸い込む塵埃吸込口から掃除機本体の電動送風機の吸込開口までの吸込風路の途中に設けた集塵ユニット室に着脱自在に装着される集塵ユニットと、モータによって回転される駆動ギアと、集塵ユニットのプリーツフィルタ体に設けたギアとを備え、集塵ユニットの着脱方向をギアの回転軸線と直交する方向に設定し、集塵ユニット室におけるギアの回転軸線に対して、集塵ユニットの装着方向と反対側に駆動ギアを設けた電気掃除機がある（例えば、特許文献２参照）。
【０００４】
【特許文献１】実公昭６１−１２９２２号公報（第１−３頁、第２、５、６図）
【特許文献２】特開２００７−２０６８５号公報（要約、図２，３，４）
【発明の開示】
【発明が解決しようとする課題】
【０００５】
特許文献１の電気掃除機においては、集塵箱内に上部がフィルターケースのフランジ部にゴムリングで止められたビニール袋を設け、このビニール袋に塵埃が溜ったときは、ハンドルを持ち上げてフィルター装置を集塵箱から引き出して分解し、ビニール袋を取出して捨てるようにしているので、操作がきわめて面倒でその上手や衣類などが汚れ易く、使い勝手が悪い。
【０００６】
また、フィルター装置は、コードを引き出すときのコードリールの回転をクラッチ、爪部、複数の歯車、爪部を介して回転させるようにしているので、回転力が弱く、付着した塵埃を効果的に除去することができない。
さらに、蓋には３個の歯車が取付けられており、爪部によりコードリール及びハンドルと連結するようにしているので、蓋が重くなって開閉に力を要するばかりでなく、爪部による上下方向の連結が不円滑になる。また、構造がきわめて複雑なため製造が面倒でコストアップになるなど、多くの問題があった。
【０００７】
また、特許文献２の電気掃除機は、プリーツフィルタ体に設けたギアと噛合う駆動ギア及びこれを駆動するモータが、集塵ユニット室の底部に設けられているため、集塵ユニット室、したがって掃除機本体が大型になり、また、集塵ユニットを集塵ユニット室に収容したときに、プリーツフィルタ体に設けたギアが駆動ギアと確実に噛合わないことがあるが、これを目視により確認することができない等の問題がある。
さらに、蓋体を開放したときに、プリーツフィルタ体に設けたギアが回転していると、手などが触れて怪我をするおそれがある。
【０００８】
本発明は、上記の課題を解決するためになされたもので、集塵部の二次フィルタに付着した塵埃を確実に除去することができ、また集塵部に溜った塵埃を捨てる操作が簡単で、手や衣類等を汚すおそれのない電気掃除機を提供することを目的としたものである。
また、本発明は、掃除の際の掃除機本体の走行性がよく、遮音性の高い電気掃除機を提供することを目的としたものである。
【課題を解決するための手段】
【０００９】
本発明に係る電気掃除機は、集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、前記集塵部の集塵室の下流側に設けた二次フィルタ室に二次フィルタを配設すると共に、該二次フィルタの下流側に該二次フィルタを駆動する二次フィルタ駆動手段を設け、前記上蓋を閉じた状態で前記二次フィルタ駆動手段の駆動力が前記二次フィルタに伝達されるように構成したものである。
【００１０】
また、本発明に係る電気掃除機は、集塵部が着脱可能に収容される集塵部収容室、電動送風機が設置された電動送風機室を有し、ホース接続口が設けられた本体部と、該本体部の上面開口部を開閉する上蓋とを有する掃除機本体を備え、前記集塵部の集塵室の下流側に設けた二次フィルタ室に二次フィルタを配設すると共に、該二次フィルタの下流側に該二次フィルタを駆動する二次フィルタ駆動手段を設け、前記集塵部を集塵部収容室に収容した状態で前記二次フィルタ駆動手段の駆動力が前記二次フィルタに伝達されるように構成したものである。
【発明の効果】
【００１１】
本発明によれば、構造が簡単で、集塵部の二次フィルタに付着した塵埃を強力な駆動手段により確実に除去することができ、また、集塵部に溜った塵埃を捨てる操作も簡単で、手や衣類等を汚すおそれのない使い勝手のよい電気掃除機を得ることができる。
また、掃除の際の掃除機本体の走行性がよく、遮音性の高い電気掃除機を得ることができる。
【発明を実施するための最良の形態】
【００１２】
図４０は本発明の一実施の形態に係る電気掃除機の全体構成を示す説明図である。
後述の集塵部が着脱可能に設けられ、電動送風機などが内蔵された掃除機本体１の前面側（以下、図の左側を前面側又は前部、右側を後面側又は後部という）に設けたホース接続口１１には、蛇腹状のホース１０１が着脱可能に接続されており、ホース１０１の他端には操作部１０３を有する手元ハンドル１０２が設けられている。そして、手元ハンドル１０２には伸縮自在の延長管１０４の一端が着脱可能に接続され、延長管１０４の他端には床用吸込み具１０５が着脱可能に接続されている。
【００１３】
このような電気掃除機においては、不使用時は、図４１に示すように、延長管１０４及び床用吸込み具１０５を取外したホース１０１を、掃除機本体１の上部外周に巻き付けて格納することができる。なお、図４１のホース１０１には、図４０の場合と異なる構造の手元ハンドル１０２を設けた場合が示してある。
【００１４】
［実施の形態１］
図１は本発明の実施の形態１に係る電気掃除機の掃除機本体の斜視図、図２は図１の側面図、図３は図１の前面図、図４は図１の後面図、図５は図１の上蓋を開放した状態の斜視図、図６は図５の側面図、図７は図２の縦断面図、図８は図７のＡ−Ａ断面図である。
【００１５】
掃除機本体１は、円筒状の上ケース３及び有底円筒状の下ケース４からなる本体部２と、上面がゆるやかな円弧状に形成された上蓋５とからなり、上蓋５の後部側は上ケース３に設けたヒンジ部６（図４）を介して本体部２に支持され、本体部２の上面開口部を開閉する。このヒンジ部６は、本体部２に設けたホース接続口１１の反対側の対向する位置において、上ケース３の上部近傍に設けられており、これにより上蓋５の開閉が容易であるばかりでなく、上蓋５を開閉する際に本体部２に巻かれたホース１０１（図２９参照）を押し潰すおそれがない。７は上蓋５をロックするラッチの解除ボタンである。
【００１６】
１０は後述の集塵部３０の吸込み口３１に連通するホース接続口１１、及びその外周から斜め前方に延設された門形部１２からなり、本体部２に一体的に設けられたハンドルである。１３は本体部２の後部側のハンドル１０と対向する位置に設けられた延設部で、後面側には排気口１４が設けられている。なお、このハンドル１０と延設部１３は、本体部２の外周にホース１０１を巻くときの支持部となる。１５は後述のコードリール２７（図７）に巻かれたコード（図にはプラグが示してある）、１６は本体部２の底面に設けた複数のキャスタである。
【００１７】
本体部２の前後方向の中央部近傍又はそれより若干前部には、多数の通気孔２１を有する隔壁２０（図９参照）が設けられており、隔壁２０の前面側（上流側）には後述の集塵部３０が着脱可能に収容される集塵部収容室２２が設けられている。また、隔壁２０の後部側（下流側）には電動送風機２４が設置される電動送風機室２３が設けられており、この電動送風機室２３の上面を含む周囲には、設置された電動送風機２４を覆うカバー２５が設けられている。２６は電動送風機室２３の下流側に配設された制御部、２７は電動送風機室２３の下部に設けられたコードリールである。
【００１８】
上記のように構成した掃除機本体１においては、本体部２に設けた集塵部収容室２２と電動送風機室２３の境界である隔壁２０を、本体部２の前後方向の中央部近傍又はそれより若干前部側に設け、掃除機本体１の重心をこの隔壁２０付近としたので、掃除機本体１の走行の安定性を向上することができる。
また、電動送風機２４の周囲をカバー２５で覆ったので、掃除中は、電動送風機２４がカバー２５と本体部２及び上蓋５とによって二重に遮蔽されるので、遮音効果を大幅に高めることができる。
【００１９】
図９は上蓋５を開放して集塵部収容室２２から集塵部３０を引出した状態を示す斜視図、図１０は集塵部３０の斜視図、図１１は図１０の上面図、図１２は同じく下面図、図１３は図１１の平断面図、図１４は扉３４及び下部扉４１を開放した状態を示す斜視図である。
集塵部３０は、少なくとも一方の側面が集塵部収容室２２の内壁面に沿った形状に形成されており、前面側の下部には、本体部２のホース接続口１１に連通する吸込み口３１が設けられ、その後部側には後壁３２が設けられている。
【００２０】
３４は一方の側に設けられた扉で、集塵部収容室２２の内壁面に対応した円弧状の側板３４ａ、天板３４ｂ、底板３４ｃ及び後面板３４ｄからなり、その後部側に設けたヒンジ部３５により後述の二次フィルタ室４０に開閉可能に支持されている。なお、ヒンジ部３５の位置は扉３４の後部側に限定するものではなく、集塵部収容室２２に収容する際に干渉する側板３４ａを除く、上面、下面、前面側等に設けてもよい。
そして、扉３４の内側には、風路３３を介して吸込み口３１に連通する集塵室３６が形成されている。なお、３７は扉３４の底板３４ｃ及び後面板３４ｄに設けられて扉３４を開閉する際に指を掛ける指掛部、３８は扉３４をロックするロック部である。
【００２１】
４０は吸込み口３１の後壁３２の後部側（集塵室３６の側方）に設けられて、集塵室３６に連通する二次フィルタ室で、集塵室３６と二次フィルタ室４０との間には、比較的大きい塵埃等を捕集する一次フィルタ３９が設けられている。４１は細塵室４１ａを有し、集塵室３６の他方の側に設けたヒンジ４２により支持されて、二次フィルタ室４０の下部開口部を開閉する下部扉である。
【００２２】
４３は二次フィルタ室４０の上面に設けられた起倒自在のハンドルで、集塵部３０を集塵部収容室２２に収容してハンドル４３を倒すと集塵部３０が本体部２にロックされ、集塵部３０を取出すためにハンドル４３を起こすと、ロックが解除されるようになっている。
【００２３】
本発明に係る集塵部３０は、幅方向の一方の側に集塵部収容室２２の内壁面に沿った形状の扉３４を有する集塵室３６を設けると共に、他方の側に二次フィルタ室４０を設け、扉３４をその側板３４ａ以外の部分に設けたヒンジ部３５により二次フィルタ室４０に開閉可能に支持するようにしたので、吸込風の気流を扉３４に沿ってスムーズに移動させることができる。また、スペースを効率的に利用することができ、集塵室３６の容量を拡大することができる。さらに、集塵部収容室２２への集塵部３０の着脱が容易である。
【００２４】
５０は二次フィルタ室４０内に着脱かつ回動可能に配設された二次フィルタで、図１５〜図２０に示すように、リング状の外枠５２、その中心部に位置するボス５３、後部側に突出する突起５４ａを有し、外枠５２とボス５３との間に設けられた複数のリブ５４からなる枠体５１と、枠体５１の内壁に設けられてばね（図示せず）で付勢された突起部５５と、枠体５１の前面側に設けられて、一次フィルタ３９を通過した微細な塵埃（以下、細塵という）を捕集するプリーツフィルタ５６とからなっている。
【００２５】
このプリーツフィルタ５６は、図１７に示すように、フィルタ濾材をアコーディオン状、つまり、プリーツ状に折り畳んで複数の折り目５７を平行に設けて形成したもので、折り目５７の間には、傾斜面からなり上流側に開口する開口部５８が設けられている。なお、５９（図１５）はプリーツフィルタ５６の下部に設けられたシャッタである。
【００２６】
このような枠体５１とその前面側に設けたプリーツフィルタ５６からなる二次フィルタ５０は、プリーツフィルタ５６を前面側（上流側）にして、そのボス５３が集塵部３０の後壁３２に設けた支持軸４４（図２０）に、着脱かつ回動可能に嵌合され、二次フィルタ室４０内に配設される。そして、図２６に示すように、二次フィルタ５０の回動範囲を規制するために、二次フィルタ室４０の内壁には所定の間隔（例えば、９０°）でストッパ４５ａ，４５ｂが設けられており、二次フィルタ５０の外枠５２には、このストッパ４５ａ，４５ｂに当接する突起部５２ａが設けられている。なお、この二次フィルタ５０の回動範囲規制手段はこれに限定するものではなく、他の構造であってもよい。
【００２７】
６０は二次フィルタ５０の後部側（下流側）において、集塵部３０に設けられた二次フィルタ駆動手段で、図１６〜図２１に示すように、歯車６１、その中心部に位置するボス６２、ボス６２と歯車６１との間に設けられた複数のリブ６３からなり、ボス６２が二次フィルタ５０のボス５３に着脱かつ回転可能に嵌合されている。そして、二次フィルタ５０の枠体５１に設けた突起部５５と、歯車６１に設けた突起６４とにより構成されたクラッチ６５（図１８）により、歯車６１の回転を二次フィルタ５０に伝達するようになっている。また、歯車６１には、ばね（図示せず）に付勢されて二次フィルタ５０のリブ５４に設けた突起５４ａに接触する除塵子６６が設けられている。なお、二次フィルタ駆動手段６０の少なくとも上部外周は、集塵部３０の後縁に設けたフランジ４６により覆われている。
【００２８】
図９において、７０は集塵部収容室２２の側方（二次フィルタ室４０側）において、本体部２の上部に設けた二次フィルタ駆動手段６０の駆動手段である電動機で、出力歯車７１を備えている。７２は上蓋５の下面に設けられて、上蓋５を閉じたときに二次フィルタ駆動手段６０の歯車６１と、電動機７０の出力歯車７１とに噛合って両者を連結し、電動機７０の回転を二次フィルタ駆動手段６０に伝達する連結歯車からなる連結手段である。なお、電動機７０と制御部２６とは、図５に示すように、本体部２に設けた例えばマイクロスイッチの如き開閉手段２８を介して接続されており、上蓋５を閉じると開閉手段２８が閉成され、制御部２６のプログラムにしたがって電動機７０に通電されるようになっている。
【００２９】
上記のような二次フィルタ駆動手段６０の歯車６１と、電動機７０の出力歯車７１は、図２２に示すように離れており、このため、図２２（ａ）に示すように、上蓋５を開放した状態では、若し電動機７０が回転してもその回転は歯車６１には伝達されない。
そして、図２２（ｂ），（ｃ）及び図２３、図２４に示すように、上蓋５を閉じると、連結手段である連結歯車７２が歯車６１と出力歯車７１とに噛合い、同時に開閉手段２８により電動機７０の駆動回路が閉成されるので、制御部２６のプログラムにしたがって電動機７０が駆動され、その回転が中間歯車７２を介して歯車６１に伝達される。
【００３０】
上記の二次フィルタ駆動手段６０である歯車６１、駆動手段である電動機７０の出力歯車７１、及びこれらの連結手段である連結歯車７２の回転軸は、上蓋５の開放方向と直交して設けられており、また、これら歯車６１，７１，７２は、歯車６１の中心を通る水平面と垂直面で形成された領域内で噛合うようになっているので、これら歯車６１，７１，７２の噛合い性を向上することができ、また、掃除機本体１の高さを低くすることができる。
【００３１】
上記の説明では、二次フィルタ駆動手段６０、駆動手段及び連結手段をすべて歯車６１，７１，７２で構成した場合を示したが、これに限定するものではなく、例えば外周に摩擦材が設けられた摩擦プーリを用いるなど、他の手段を用いてもよい。
【００３２】
上記のように構成した集塵部３０は、先ず、ハンドル４３を持って上蓋２が開放された本体部２の集塵部収容室２２内に収容され、ハンドル４３を倒す。これにより、集塵部３０は本体部２にロックされる。ついで上蓋５を閉じると、集塵部３０の二次フィルタ駆動手段６０である歯車６１と、本体部２に設けた駆動手段である電動機７０の出力歯車７１が、上蓋５に設けた連結手段である連結歯車７２によって連結され、同時に、開閉手段２８により電動機７０の駆動回路が閉成される。
【００３３】
次に、上記のように構成した電気掃除機の作用を説明する。
図２８において、電源コード１５を商用電源に接続し、掃除機本体１に巻かれたホース１０１を延して床用吸込み具１０５を床面上に位置させ、手元ハンドル１０２の操作部１０３に設けた電源スイッチをＯＮすると、掃除機本体１に設けた電動送風機２４が駆動される。これにより、床用吸込み具１０５から塵埃等を含む空気が吸引され、延長管１０４、手元ハンドル１０２、ホース１０１を経て、掃除機本体１内に吸込まれる。
【００３４】
掃除機本体１内に吸込まれた塵埃等を含む空気は、図２５に示すように、集塵部３０の吸込み口３１から吸込まれて後壁３２に衝突し、後壁３２に沿って風路３３から集塵室３６に至り、一次フィルタ３９を経て二次フィルタ室２２に吸い込まれる。これにより、空気に含まれた比較的大きい塵埃等が一次フィルタ３９によって捕捉されて集塵室３６内に堆積し、細塵を含む空気が二次フィルタ室２２に吸引される。このとき、駆動手段の電動機７０には通電されておらず、二次フィルタ５０は、図２６に示すように、その突起部５２ａが一方のストッパ４５ｂに当接し、プリーツフィルタ５６の折り目５７はほぼ水平に保持されている。なお、風路３３に例えばサイクロン筒２９（図１９参照）を設けて旋回気流を発生させ、遠心力を利用して空気と塵埃等を分離するサイクロン分離構造としてもよい。
【００３５】
二次フィルタ室２２に吸込まれた空気に含まれる細塵は、二次フィルタ５０のプリーツフィルタ５６で捕集され、清浄化された空気は電動送風機２４や制御部２６等を冷却したのち、後部に設けた排気口１４から外部に排出される。
【００３６】
掃除動作が終って電源スイッチをＯＦＦすると電動送風機２４が停止するが、このとき、制御部２６のプログラムにしたがって電動機７０に通電され、連結歯車７２を介して歯車６１を回転させる。歯車６１の回転はクラッチ６５を介して二次フィルタ５０に伝達され、二次フィルタ５０を図２６の矢印方向にほぼ９０°回転させる。そして、図２７に示すように、二次フィルタ５０に設けた突起部５２ａが他方のストッパ４５ａに当って停止する。これにより、二次フィルタ５０はプリーツフィルタ５６の折り目５７がほぼ垂直状態に保持されるので、プリーツフィルタ５６に付着した細塵が下部蓋４１の細塵室４１内に落下する。
【００３７】
このとき、二次フィルタ５０にはその突起部５２ａがストッパ４５ａに当って大きな抵抗が生じるため、クラッチ６５が滑って二次フィルタ５０には歯車６１の回転が伝達されない。しかし、電動機７０は引続き所定の時間（例えば、５秒間）駆動されて歯車６１を回転させるため、歯車６１に設けた除塵子６６が二次フィルタ５０のリブ５４に設けた突起５４ａに当って、二次フィルタ５０に振動させあるいは衝撃を与える。これにより、プリーツフィルタ５６に残っている細塵がさらに落下して下部蓋４１の細塵室４１ａ内に集積される。
【００３８】
掃除が終ったときは、二次フィルタ５０はそのままの状態（プリーツフィルタ５６の折り目５７がほぼ垂直状態）に保持されている。そして、次の掃除の際に電源スイッチをＯＮすると、先ず、駆動手段である電動機７０が反対方向に回転して二次フィルタ５０を反対方向に回転させ、その突起部５２ａが他方のストッパ４５ｂに当って停止し、プリーツフィルタ５６の折り目５７を図２６に示すようにほぼ水平状態に戻し、電動機７０が停止する。ついで、電動送風機２４が駆動される。このとき、細塵室４１ａの開口部は、二次フィルタ５０のシャッタ部５９によって閉口されるため、細塵室４１ａ内の塵埃が二次フィルタ５０に再付着するのを防止することができる。
【００３９】
集塵部３０の集塵室３６等が塵埃で一杯になったときは、図９に示すように、上蓋５を開放し、集塵部３０のハンドル４３を起こす。これによりロックが解除されるので、集塵部３０を引上げて取出し、図１４に示すように、下面の指掛け部３７に指を掛けて扉３４を開放すると共に下部扉４１を開放して、集塵室３６や細塵室４１ａに溜った塵埃等を廃棄し、再び扉３４及び下部扉４１ａを閉じる。このとき、一次フィルタ３９に残っている塵埃等を除去し、また必要に応じて一次フィルタ３９や二次フィルタ５０を交換することができる。また、上蓋５を開放したときに、二次フィルタ５０の歯車６１はその上部がフランジ４６で覆われているので、安全である。
【００４０】
集塵部収容室２２からの集塵部３０の取出しにあたっては、二次フィルタ駆動手段６０の駆動手段である電動機７０は本体部２に設けられており、またこれらの歯車６１，７１を連結する連結手段である連結歯車７２は開放した上蓋５に設けられているので、集塵部３０はなんらの干渉を受けることなく、集塵部収容室２２から出し入れすることができる。また、電動機７０の駆動回路は開閉手段２８により開放されているので、上蓋５の開放中は電動機７０が回転することもない。
【００４１】
塵埃等の廃棄が終ったときは、集塵部３０を再び本体部２内に収容し、ハンドル４３を倒す。これにより、集塵部３０は本体部２にロックされる。ついで上蓋５を閉じれば、これに設けた連結歯車７２が歯車６１と電動機７０の出力歯車７１を連結し、開閉手段２８により電動機７０の駆動回路が閉成される。
【００４２】
上記の説明では、二次フィルタ駆動手段６０によりクラッチ６６を介して二次フィルタ５０を回動させて、そのプリーツフィルタ５６の折り目５７をほぼ水平状態又はほぼ垂直状態にしてこれに付着した細塵を落下させる場合について説明したが、クラッチ６６を省略して二次フィルタ５０を回動させることなく、徐塵子６７の作用により二次フィルタ５０に付着した細塵を落下させるようにしてもよい。
【００４３】
上記のように構成した本実施の形態によれば、掃除機本体１の本体部２に設けた集塵部収容室２２に着脱可能に収容される集塵部３０は、構造が簡単でビニール袋等を使用することなく、塵埃等が溜ったときは、そのまま掃除機本体１から引き出して扉３４及び下部扉４１を開放することにより、簡単に塵埃等を捨てることができるので、操作がきわめて容易で、手や衣類等を汚すことのない使い勝手のよい電気掃除機を得ることができる。
【００４４】
また、集塵部３０に二次フィルタ５０を駆動する二次フィルタ駆動手段６０を設けると共に、本体部２にこの二次フィルタ駆動手段６０を駆動する電動機７０を設け、上蓋５に二次フィルタ駆動手段６０とその駆動手段とを連結する連結手段を設け、上蓋５を閉じたときに連結手段により両者を連結するようにしたので、上蓋５を開放したときは二次フィルタ駆動手段６０は動作しないため、安全性を確保することができる。また、上蓋５には連結手段だけ設けたので軽量であり、このため上蓋５の開閉操作が容易である。
さらに、二次フィルタ駆動手段６０を、強力な電動機７０で駆動するようにしたので、二次フィルタ５０に付着した塵埃を確実に除去することができる。
【００４５】
また、二次フィルタ駆動手段６０の駆動手段である電動機を、連結歯車７２を設けることにより、本体部２の一方の側の上部に設けるようにしたので、掃除機本体１の設計の自由度を拡大することができ、これにより掃除機本体１を小型化することができる。
さらに、集塵部収容室２２と電動機室２３の境界を、本体部２の前後方向の中央部近傍又はそれより若干前面側に設けて重心位置としたので、掃除機本体１の走行性がよく、さらに、電動送風機を覆うカバー２５を設けて、掃除の際に上蓋５と二重壁構造としたので遮音効果を高めることができる。
【００４６】
［実施の形態２］
図２８は本発明の実施の形態２に係る電気掃除機の掃除機本体の上蓋を開放した状態を示す斜視図、図２９は図２８の平断面図、図３０は図２８の集塵部を引き出した状態を示す斜視図、図３１は集塵部の上面図、図３２は集塵部の扉及び下部扉を開放した状態を示す斜視図、図３３は一部を断面で示した集塵部の背面図、図３４は集塵部の背面斜視図、図３５は図３０の集塵部の前面側を切除した状態を示す斜視図、図３６は前面側からみた集塵部の分解斜視図、図３７は後面側からみた集塵部の分解斜視図である。なお実施の形態１と構造又は機能が同じ部分にはこれと同じ符号を付し、説明を省略する。
【００４７】
実施の形態１においては、集塵部３０に二次フィルタ５０の駆動手段である歯車６１を設けると共に、本体部２にこの歯車６１を駆動する電動機７０を設け、上蓋５に歯車６１と電動機７０の出力歯車７１とを連結する歯車７２を設けて、上蓋５を閉じたときに、連結歯車７２により歯車６１と電動機７０と出力歯車７１を連結する場合を示したが、本実施の形態は、連結手段である連結歯車７２を集塵部３０に設け、集塵部３０を集塵部収容室２２に収容したときに、連結歯車７２により歯車６１と電動機７０の出力歯車７１を連結するようにしたものである。
【００４８】
本実施の形態においては、図２９及び図３８（ａ）に示すように、本体部２の一方の側（二次フィルタ室４０側）の上部に設けられた電動機７０のケース７３の前面側上部に、固定手段を構成する柱状の係止部７４が設けられている。
【００４９】
また、図２８〜図３７に示すように、集塵部３０の一方の側（二次フィルタ室４０側）の上部外図には、連結歯車ケース７５が一体に設けられており、二次フィルタ駆動手段６０を構成する歯車６１と常時噛合う連結手段である厚い連結歯車７２（図３３）が、連結歯車ケース７５内に回転自在に支持されている。そして、連結歯車ケース７５の後部側には、軸方向に係合穴７７を有し、電動機７０のケース７３に設けた係止部７４に嵌合して係止部７４と共に固定手段を構成する係合部７６が設けられている。
【００５０】
上記のように構成した本実施の形態において、図３０に示すように、本体部２の集塵室収容部２２から引き出した集塵部３０を、図２８に示すように、集塵部３０を集塵部収容室２２に収容すると、先ず、図３８（ａ）に示すように、連結歯車ケース７５に設けた係合部７６の係合穴７７が、本体部２に取付けられた電動機７０のケース７３に設けた係止部７４に嵌合し、ついで図３８（ｂ）及び図３９に示すように、連続歯車７２が歯車６１と電動機７０の出力歯車７１と噛合って、電動機７０の駆動力を連結歯車７２を介して歯車７１に伝達することができる。
なお、本実施の形態においては、図３３、図３４に示すように、二次フィルタ５０のリング状の外枠５２に、突起５４ａを有する複数のリブ５４を、横方向に平行に設けた場合を示したが、実施の形態１のように、リブ５４を放射状にも設けてもよい。
【００５１】
本実施の形態に係る電気掃除機の作用は、実施の形態１の場合とほぼ同様である。
【００５２】
上記のように構成した本発明によれば、掃除機本体１の本体部２に設けた集塵部収容室２２に着脱可能に収容される集塵部３０は、構造が簡単でビニール袋等を使用することなく、塵埃等が溜ったときは、そのまま掃除機本体１から引き出して扉３４及び下部扉４１を開放することにより、簡単に塵埃等を捨てることができるので、操作がきわめて容易で、手や衣類等を汚すことのない使い勝手のよい電気掃除機を得ることができる。
【００５３】
また、集塵部３０に二次フィルタ５０を駆動する二次フィルタ駆動手段６０である歯車６１、及び連結手段である連結歯車７２を設け、本体部２に二次フィルタ駆動手段６０の駆動手段である電動機７０を設けて、集塵部３０を集塵部収容室２２に収容したときは、連結歯車７１を介して歯車６１と電動機７０を連結するようにしたので、集塵部３０を取り出したときは歯車６１は回転しないため、安全性を確保することができる。また、歯車６１は少なくとも上部がフランジ４６で覆れており、連結歯車７２は連結歯車ケース７５内に収容されているので、上蓋５を開放したときに歯車６１及び連結歯車７２に手などが触れることがなく、安全である。
【００５４】
さらに、歯車６１の駆動手段である電動機７０を、連結歯車７２を設けることにより本体部２の一方の側の上部に設けることができるので、掃除機本体１の設計の自由度を拡大することができ、これにより、掃除機本体１を小型化することができる。
また、電動機７０と連結歯車７２を本体部２の上部に設けたので、上蓋５を開放することにより、これら歯車の噛合い状態を目視により容易に確認することができる。
【００５５】
また、連結歯車ケース７５を固定手段により電動機７０のケース７３に固定するようにしたので、動作中に連結歯車７２にガタを生ずることがなく、電動機７０の駆動力を連結歯車７２を介して確実に歯車６１に伝達することができる。
【図面の簡単な説明】
【００５６】
【図１】本発明の実施の形態１に係る電気掃除機の掃除機本体の斜視図である。
【図２】図１の側面図である。
【図３】図１の前面図である。
【図４】図１の後面図である。
【図５】図１の上蓋を開放した状態を示す斜視図である。
【図６】図５の側面図である。
【図７】図２の縦断面図である。
【図８】図７のＡ−Ａ断面図である。
【図９】図５の集塵部を引き出した状態を示す斜視図である。
【図１０】図９の集塵部の斜視図である。
【図１１】図１０の上面図である。
【図１２】図１０の下面図である。
【図１３】図１０の平断面図である。
【図１４】図１０の扉及び下部扉を開放した状態を示す斜視図である。
【図１５】図１０のＢ−Ｂ断面図である。
【図１６】図１０の背面図である。
【図１７】図１５のプリーツフィルタの説明図である。
【図１８】図１６の一部拡大図である。
【図１９】図１０の前面側からみた分解斜視図である。
【図２０】図１０の後面側からみた分解斜視図である。
【図２１】二次フィルタ駆動装置の作用説明図である。
【図２２】二次フィルタ駆動手段、駆動手段及び連結手段の連結手順の説明図である。
【図２３】二次フィルタ駆動手段、駆動手段及び連結手段の連結状態を示す説明図である。
【図２４】二次フィルタ駆動手段、駆動手段及び連結手段の連結状態を示す説明図である。
【図２５】集塵部の作用説明図である。
【図２６】集塵部の作用説明図である。
【図２７】集塵部の作用説明図である。
【図２８】本発明の実施の形態２に係る電気掃除機の掃除機本体の上蓋を開放した状態を示す斜視図である。
【図２９】図２８の平断面図である。
【図３０】図２８の集塵部を引き出した状態を示す斜視図である。
【図３１】集塵部の上面図である。
【図３２】集塵部の扉及び下部扉を開放した状態を示す斜視図である。
【図３３】一部の断面で示した集塵部の背面図である。
【図３４】集塵部の背面斜視図である。
【図３５】図３０の集塵部の前面側を切除した状態を示す斜視図である。
【図３６】前面側からみた集塵部の分解斜視図である。
【図３７】後面側からみた集塵部の分解斜視図である。
【図３８】二次フィルタ駆動手段、駆動手段及び連結手段の連結手順の説明図である。
【図３９】二次フィルタ駆動手段と駆動手段を連結手段で連結した状態を示す説明図である。
【図４０】本発明の実施の形態１に係る電気掃除機の説明図である。
【図４１】図４０の電気掃除機の格納状態を示す説明図である。
【符号の説明】
【００５７】
１  掃除機本体、２  本体部、５  上蓋、６  ヒンジ部、１１  ホース接続口、２０  隔壁、２２  集塵部収容室、２３  電動送風機室、２４  電動送風機、２５  カバー、３０  集塵部、３１  吸込み口、３４  扉、３５  ヒンジ部、３６  集塵室、３９  一次フィルタ、４０  二次フィルタ室、４１  下部蓋、４１ａ  細塵室、４５ａ，４５ｂ  ストッパ、５０  二次フィルタ、５１  枠体、５６  プリーツフィルタ、６０  二次フィルタ駆動手段、６１  歯車、６６  クラッチ、６７  除塵子、７０  電動機（駆動手段）、７２  連結歯車（連結手段）、７３  電動機のケース、７４  固定手段である係止部、７５  連結歯車ケース、７６  固定手段である係合部。
【図１】
2009095458.tif 000003
【図２】
2009095458.tif 000004
【図３】
2009095458.tif 000005
【図４】
2009095458.tif 000006
【図５】
2009095458.tif 000007
【図６】
2009095458.tif 000008
【図７】
2009095458.tif 000009
【図８】
2009095458.tif 000010
【図９】
2009095458.tif 000011
【図１０】
2009095458.tif 000012
【図１１】
2009095458.tif 000013
【図１２】
2009095458.tif 000014
【図１３】
2009095458.tif 000015
【図１４】
2009095458.tif 000016
【図１５】
2009095458.tif 000017
【図１６】
2009095458.tif 000018
【図１７】
2009095458.tif 000019
【図１８】
2009095458.tif 000020
【図１９】
2009095458.tif 000021
【図２０】
2009095458.tif 000022
【図２１】
2009095458.tif 000023
【図２２】
2009095458.tif 000024
【図２３】
2009095458.tif 000025
【図２４】
2009095458.tif 000026
【図２５】
2009095458.tif 000027
【図２６】
2009095458.tif 000028
【図２７】
2009095458.tif 000029
【図２８】
2009095458.tif 000030
【図２９】
2009095458.tif 000031
【図３０】
2009095458.tif 000032
【図３１】
2009095458.tif 000033
【図３２】
2009095458.tif 000034
【図３３】
2009095458.tif 000035
【図３４】
2009095458.tif 000036
【図３５】
2009095458.tif 000037
【図３６】
2009095458.tif 000038
【図３７】
2009095458.tif 000039
【図３８】
2009095458.tif 000040
【図３９】
2009095458.tif 000041
【図４０】
2009095458.tif 000042
【図４１】
2009095458.tif 000043